(57)【要約】    【構成】  光ピックアップ１０では、ミラー２０の第１基板２４の厚みを一体型レーザ光源１２の光源間隔を補正する厚みに設計する。そして、一体型レーザ光源１２の光源間隔により、光軸からずれて射出されるレーザ光４４をこの第１基板２４を透過させることにより、レーザ光４４の光軸ずれを補正する。補正した後、レーザ光４４をミラー２０の反射膜３０で反射させて、コリメータレンズ３４に通し、対物レンズ３６により光ディスクに集光させる。    【効果】  コリメータレンズ３４を透過する前にレーザ光４４の光軸のずれを補正することにより、レーザ光４４は光軸に対する傾きがなく、対物レンズ３６で集光されるため、集光されたレーザ光４４のコマ収差は低く抑えられる。また、第１基板２４の厚みは薄いため、レーザ光４４は第１基板２４を透過してもその非点収差は小さくなる。【選択図】  図１
2006024276.tif 000002
【特許請求の範囲】
【請求項１】
複数の光源を用いる光ピックアップのためのミラーであって、
表面が曲面である基体、
前記基体の表面上に形成される反射膜、および
基板とその上に設けられる波長選択膜とを含む、かつ前記反射膜側に少なくとも１層形成される反射層を備える、ミラー。
【請求項２】
前記波長選択膜は誘電体多層膜またはフォトニック結晶を含む、請求項１記載のミラー。
【請求項３】
前記光源は、複数の光源を所定間隔で並べた一体型レーザ光源であり、前記基板の厚みは前記間隔の関数で設定される、請求項１または２記載のミラー。
【請求項４】
光軸部における前記基板の厚さをｄ、前記光源の間隔をｅ、前記基板の屈折率をｎ、前記基板への入射角をθとしたとき、前記関数が数１で表される、請求項３記載のミラー。
【数１】
2006024276.tif 000006
【請求項５】
複数の光源、
前記光源から出射されたレーザ光を平行光にするコリメータレンズ、
前記コリメータレンズを透過した前記レーザ光を反射する請求項１または２記載のミラー、および
前記ミラーにより反射された前記レーザ光を集光させる対物レンズを備える、光ピックアップ。
【請求項６】
複数の光源を所定間隔で並べた一体型レーザ光源、
前記一体型レーザ光源から出射されたレーザ光を反射する請求項３または４記載のミラー、
前記ミラーにより反射された前記レーザ光を平行光にするコリメータレンズ、および
前記コリメータレンズを透過した前記レーザ光を集光させる対物レンズを備える、光ピックアップ。
【発明の詳細な説明】
【技術分野】
【０００１】
この発明は、ミラーおよび光ピックアップに関し、特にたとえば、多種類の光ディスクを記録・再生するために用いられる、ミラーおよび光ピックアップに関する。
【背景技術】
【０００２】
従来の光ピックアップの一例が、特許文献１に開示されている。この特許文献１の光ピックアップ装置では、レーザ光源から出射された第１レーザ光はコリメータレンズを通り、反射ミラーの第１反射面で反射され、対物レンズで集光されてＤＶＤの記録面上に照射される。また、第２レーザ光は２波長レーザ光源から出射され、コリメータレンズを通り、反射ミラーの第１反射面および基板を透過して、第２反射面で反射され、対物レンズで集光されてＣＤの記録面上に照射される。
【特許文献１】特開２００２−４０３２３号公報［Ｇ０２Ｂ  １３／００、５／０８、５／１０、１３／１８、１７／０８］
【発明の開示】
【発明が解決しようとする課題】
【０００３】
特許文献１の従来技術では、反射ミラーの基板の厚みが大きいため、基板を透過する第２レーザ光の光損失が大きいばかりでなく、対物レンズで集光された第２レーザ光の収差も大きくなってしまう。
【０００４】
また、２つのレーザ光の光源は離れているため、一方のレーザ光を光軸に合わせると、他方のレーザ光は光軸に対して傾く。この光軸の傾きはコリメータレンズを通過した後では修正できないため、コリメータレンズと対物レンズとの間に配置した反射ミラーにより光軸のずれを吸収しても、レーザ光は傾いたまま対物レンズにより集光されて、レーザ光にコマ収差が発生する。コマ収差は、光源とコリメータレンズとの距離を長くすると小さくなるが、それでは装置が大きくなってしまう。
【０００５】
これに対して、特許文献１の図５に示す反射ミラーの積層部材の厚みは薄いため、第１レーザ光に対する第２レーザ光の光軸ずれを小さくできるが、この構造では第１レーザ光および第２レーザ光は透明基板を透過することになり、これらのレーザ光の光損失が発生する。そして、これらのレーザ光に青色レーザ光を用いると、透明基板の劣化が激しくなるため、透明基板に用いることができる材料が制限されてしまう。
【０００６】
それゆえに、この発明の主たる目的は、レーザ光の光損失なく収差を低く抑えることができる、ミラーおよび光ピックアップを提供することである。
【課題を解決するための手段】
【０００７】
請求項１の発明は、複数の光源を用いる光ピックアップのためのミラーであって、表面が曲面である基体、基体の表面上に形成される反射膜、および基板とその上に設けられる波長選択膜とを含む、かつ反射膜側に少なくとも１層形成される反射層を備える、ミラーである。
【０００８】
請求項１の発明では、ミラーは、基体の曲面の表面上に反射膜を形成し、その反射膜上に基板を載せ、さらにその基板上に波長選択膜を成膜することにより形成される。たとえば、反射膜は第１波長レーザ光を反射する膜であり、波長選択膜は第１波長のレーザ光を透過し、第２波長のレーザ光を反射する膜であれば、第１波長のレーザ光は波長選択膜および基板を透過して反射膜で反射し、第２波長のレーザ光はミラーの最表面の波長選択膜で反射する。
【０００９】
このように、ミラーに基体を設けることにより、ミラーの強度を得ることができるため、基体上の基板の薄型化を図れる。
【００１０】
ミラーの基板の厚みを薄くすると、反射膜で反射する第１波長のレーザ光の光路差が短くなり、レーザ光の光路差により生じる第１波長のレーザ光の非点収差を小さくすることができる。また、ミラーの基板の厚みが薄くなる分だけ、基板を透過する第１波長のレーザ光の強度低下を抑えることができる。
【００１１】
請求項２の発明は、波長選択膜は誘電体多層膜またはフォトニック結晶を含む、請求項１記載のミラーである。
【００１２】
請求項２の発明では、誘電体多層膜またはフォトニック結晶を使用する波長選択膜は、レーザ光の吸収や散乱を少なく抑えて、第１波長レーザ光を透過し、第２波長レーザ光を反射することができる。
【００１３】
請求項３の発明は、光源は、複数の光源を所定間隔で並べた一体型レーザ光源であり、基板の厚みは間隔の関数で設定される、請求項１または２記載のミラーである。
【００１４】
請求項３の発明では、複数の光源を所定間隔で並べた一体型レーザ光源から出射されるレーザ光の１つを光軸に合わせて、コリメータレンズに透過させ、対物レンズにより集光させると、光源間隔により他のレーザ光は光軸からずれて、光軸に対して傾き、対物レンズにより集光されたレーザ光にコマ収差が発生してしまう。このため、基板の厚みを光源間隔の関数で設定されるミラーを一体型レーザ光源とコリメータレンズとの間に配置し、光軸に対して傾いたレーザ光をミラーの基板に透過させると、レーザ光は基板を透過することにより光軸のずれが補正され、それから、コリメータレンズに至るため、対物レンズにより集光されたレーザ光のコマ収差は小さく抑えられる。
【００１５】
請求項４の発明は、光軸部における基板の厚さをｄ、光源の間隔をｅ、基板の屈折率をｎ、基板への入射角をθとしたとき、関数が数２で表される、請求項３記載のミラーである。
【００１６】
【数２】
2006024276.tif 000003
【００１７】
請求項４の発明では、一体型レーザ光源の光源間隔により光軸からずれて射出されたレーザ光は数２で設計した厚さの基板を透過することにより、レーザ光のずれは補正されるため、このレーザ光を対物レンズで集光すると、ずれに起因するコマ収差は小さく抑えられる。
【００１８】
請求項５の発明は、複数の光源、光源から出射されたレーザ光を平行光にするコリメータレンズ、コリメータレンズを透過したレーザ光を反射する請求項１または２記載のミラー、およびミラーにより反射されたレーザ光を集光させる対物レンズを備える、光ピックアップである。
【００１９】
請求項５の発明では、コリメータレンズを透過しミラーの曲面状の反射膜で発散した第１レーザ光は、平らな波長選択膜で反射した第２レーザ光に比べて、その放射角度が広くなるため、対物レンズにより集光された第１レーザ光の焦点位置は第２レーザ光の焦点位置より遠くなる。このため、曲面および平面の反射面を有するミラーを用いれば、１つの対物レンズにより深さの異なる信号記録面の光ディスクにレーザ光を集光することができる。
【００２０】
請求項６の発明は、複数の光源を所定間隔で並べた一体型レーザ光源、一体型レーザ光源から出射されたレーザ光を反射する請求項３または４記載のミラー、ミラーにより反射されたレーザ光を平行光にするコリメータレンズ、およびコリメータレンズを透過したレーザ光を集光させる対物レンズを備える、光ピックアップである。
【００２１】
請求項６の発明では、複数の光源を所定間隔で並べた一体型レーザ光源から出射される１つのレーザ光をミラーの波長選択膜で反射させて、光軸に合わせてコリメータレンズおよび対物レンズを通して、たとえば、第１光ディスクの記録面上に照射する。また、一体型レーザ光源から出射される他のレーザ光をミラーの基板を透過して反射膜で反射させて、コリメータレンズおよび対物レンズを通して、たとえば、第２光ディスクの記録面上に照射する。
【００２２】
この場合、他のレーザ光は光源間隔により光軸からずれるが、ミラーの基板は一体型レーザ光源の光源間隔を補正する厚みを有するため、レーザ光はミラーの基板を透過することにより、レーザ光の光軸からのずれは補正される。そして、補正されてからコリメータレンズおよび対物レンズを通ることにより、ミラーの反射膜により反射されたレーザ光は光軸のずれを補正されたまま光ディスクに照射される。また、ミラーの曲面状の反射膜で発散した第１レーザ光は、平らな波長選択膜で反射した第２レーザ光に比べて、その放射角度が広くなるため、対物レンズにより集光された第１レーザ光の焦点位置は第２レーザ光の焦点位置より遠くなる。このため、曲面および平面の反射面を有するミラーを用いれば、１つの対物レンズにより深さの異なる信号記録面の光ディスクにレーザ光を集束することができる。このため、光源間隔により光軸からずれたレーザ光でもコマ収差なく光ディスクに照射することができる。
【発明の効果】
【００２３】
請求項１の発明によれば、基体によりミラーの強度を確保して、基板の厚みを薄くすることにより、基板を透過するレーザ光の光損失を小さくし、対物レンズにより集光される収差を低くすることができる。
【００２４】
また、請求項３の発明によれば、ミラー基板の厚みを光源間隔の関数で設定されることにより、レーザ光のコマ収差は少なくすることができる。
【００２５】
この発明の上述の目的，その他の目的，特徴および利点は、図面を参照して行う以下の実施例の詳細な説明から１層明らかとなろう。
【発明を実施するための最良の形態】
【００２６】
図１に示すこの発明の一実施例である光ピックアップ１０は、複数の光源を所定間隔で並べた一体型レーザ光源１２を備える。一体型レーザ光源１２は複数、この実施例では２つの半導体レーザ１４、１６を含み、これらの半導体レーザ１４、１６はたとえば、ｅ１：１１０μｍの間隔を隔てて並んで組み合わされる。半導体レーザ１４は、たとえば波長λ１：６５５ｎｍのＤＶＤ用レーザ光を出射し、半導体レーザ１６は波長λ２：７８５ｎｍのＣＤ用レーザ光を出射する。
【００２７】
一体型レーザ光源１２から射出したレーザ光はハーフミラ１８を透過し、光軸に対して４５度に傾いて配置されたミラー２０で反射する。このミラー２０は、図２に示すように、基体２２を有し、基体２２上に基板２４および波長選択膜２６を含む１層の反射層２８を備える。基体２２は透明である必要はなく、吸水性が低く、耐熱性の高い材料で形成され、たとえば、ポリカーボネート、アクリル系樹脂または白板ガラスなどである。この基体２２の表面は所望の角度でレーザ光を発散させる曲面形状であり、曲面形状の表面上にアルミニウムなどの金属製の反射膜３０を形成し、さらに、反射膜３０上に基板２４を設ける。基板２４は透明で吸水性が低く、耐熱性の高い材料であり、たとえば、ＪＳＲ製「アートン」、日本ゼノン製「ＺＥＯＮＥＸ」またはショット社製「Ｂ−２７０白板ガラス」などである。この基板２４の表面は平面であり、基板２４の光軸部の厚みは数３で示すように、複数の光源を所定間隔で並べた一体型レーザ光源１２の光源間隔の関数で設定される。
【００２８】
【数３】
2006024276.tif 000004
【００２９】
すなわち、図３に示すように、一体型レーザ光源１２の光軸に対して光源間隔ｅ１：１１０μｍだけ離れた光源からレーザ光を屈折率ｎ：１．５の基板２４に入射角θ：４５度で照射する場合、基板２４の厚みｄ１は数３により求められ、約１４６μｍである。そして、この基板２４の表面上に波長選択膜２６を形成する。
【００３０】
波長選択膜２６は波長λ２のレーザ光を透過し、波長λ１のレーザ光を反射する膜である。酸化チタンや五酸化タンタルなどの高屈折率膜（屈折率ｎＨ）と二酸化ケイ素やフッ化マグネシウムなどの低屈折率膜（屈折率ｎＬ）とを中心波長λの１／４ｎＨ、１／４ｎＬ倍の膜厚で交互に積層して形成され、その全厚さは約１μｍである。このため、波長選択膜２６の厚さは基板２４の厚さ：約１４６μｍに比べて非常に薄く、波長選択膜２６は光路長には影響を及ぼさない。
【００３１】
図１に示すように、このようなミラー２０に対して、波長λ１のレーザ光３２を光軸に合わせて、ＤＶＤ用半導体レーザ１４から射出し、ミラー２０の表面の波長選択膜２６で反射する。反射したレーザ光３２は光軸を通り、コリメータレンズ３４により平行光にされてから、対物レンズ３６によって光ディスク３８（ＤＶＤ）の信号記録面４０、すなわち、光ディスク３８の光入射面３８ａから深さｔ１：０．６ｍｍの位置に集光する。
【００３２】
光ディスク３８によって反射されたレーザ光３２は、再び対物レンズ３６およびコリメータレンズ３４を透過後、ミラー２０の波長選択膜２６で反射される。反射されたレーザ光３２はハーフミラ１８で反射されて、ＤＶＤ用の光検出器４２に入射する。光検出器４２はフォトダイオードを含み、入射した光の強度に応じた信号を出力する。
【００３３】
一方、波長λ２のレーザ光４４は光軸に対して光源間隔ｅ１だけずれたＣＤ用半導体レーザ１６から射出されて、ミラー２０の波長選択膜２６および基板２４を透過し反射膜３０で反射する。このとき、レーザ光４４は基板２４を透過することにより、光軸からのずれを補正され、基体２２の表面の曲面形状により所望の角度で発散される。それから、レーザ光４４は光軸を通り、コリメータレンズ３４および対物レンズ３６によって光ディスク３８（ＣＤ）の信号記録面４６、すなわち、光ディスク３８の光入射面３８ａから深さｔ２：１．２ｍｍの位置に集光する。
【００３４】
光ディスク３８によって反射されたレーザ光４４は、再び対物レンズ３６およびコリメータレンズ３４を透過後、ミラー２０の反射膜３０で反射される。反射されたレーザ光４４はハーフミラ１８で反射されて、ＣＤ用の光検出器４８に入射する。
【００３５】
このように、波長λ１のレーザ光３２はミラー２０の最表面の波長選択膜２６により反射されて、光軸を通ることにより、光ディスク３８の信号記録面４０に集光されるレーザ光３２のコマ収差および非点収差は最小になる。
【００３６】
これに対して、ＣＤ用半導体レーザ１６は光軸上のＤＶＤ用半導体レーザ１４から光源間隔ｅ１だけずれているため、ＣＤ用半導体レーザ１６から射出される波長λ２のレーザ光４４は光軸に対して傾いてしまう。このため、波長λ２のレーザ光４４はコリメータレンズ３４を透過する前に、数３により設計されたミラー２０の基板２４を透過して、レーザ光４４の光軸ずれおよび角度ずれを補正されてから、この状態で対物レンズ３６により集光されるため、信号記録面４６に集光するレーザ光４４のコマ収差を抑制することができる。
【００３７】
また、基板２４は基体２２により補強されているため、基板２４の厚みを薄くすることができる。これにより、基板２４を透過する波長λ２のレーザ光４４の非点収差を低く抑え、しかも、レーザ光４４が基板２４を透過する際のレーザ光４４強度の低下も小さくすることができる。
【００３８】
さらに、誘電体多層膜の波長選択膜２６では、吸収や散乱することなく、波長λ１のレーザ光３２は波長選択膜２６で反射し、波長λ２のレーザ光４４は波長選択膜２６を透過することができる。
【００３９】
さらに、波長λ１のレーザ光３２はミラー２０の基板２４の平面で発散角度を変えずに反射するのに対して、波長λ２のレーザ光４４はミラー２０の基体２２の曲面形状表面で所望の発散角度に変えられて反射することにより、対物レンズへ入射する波長λ２のレーザ光４４の放射角度は広がり、レーザ光４４の焦点位置はレーザ光３２の焦点位置より遠くなるため、１つの対物レンズ３６によりこれらのレーザ光３２、４４を各光ディスク３８の信号記録面４０、４６上に集光することができる。
【００４０】
なお、一体型レーザ光源１２にＤＶＤ用半導体レーザ１４およびＣＤ用半導体レーザ１６を用いたが、これに代えて青色半導体レーザなどを用いて、光ピックアップ１０の目的に応じて適宜組み合わせることができる。
【００４１】
また、ミラー２０の基体２２の表面上に形成した反射膜３０に全反射する金属製の膜を用いたが、波長λ２のレーザ光４４を反射する波長選択膜を代わりに用いてもよい。
【００４２】
さらに、波長選択膜２６に誘電体多層膜を用いたが、これに代えて、フォトニック結晶を用いてもよい。
【００４３】
この光ピックアップ１０に用いたミラー２０の製造工程では、まず図４（Ａ）に示す基体２２となる樹脂の板５０を用意する。この板５０は上面および下面は平行で、各面は平滑である。この１枚の板５０に間隔を隔てて複数の図４（Ｂ）に示す曲面形状表面２２ａを、プレス用金型を用いた加熱成型により形成する。各曲面形状表面２２ａの間５０ａは後述する基板２４の貼り合わせ基準面として用いられる。
【００４４】
次いで、図４（Ｃ）に示すように、板５０の加熱成型した面にスパッタリングや蒸着などにより反射膜３０を形成する。その反射膜３０を形成した上から図４（Ｄ）に示すように、ＪＳＲ製「ＵＶ接着剤Ｚ８０１４」や電気化学工業製「ハードロックＯＰ−１０４５Ｋ」などの接着剤５２を塗布し、その上から図４（Ｅ）の基板２４を貼り合わせる。基板２４は一定の厚みを有する樹脂製シートであり、基体２２の貼り合わせ基準面５０ａに沿わせて全体の高さｈを１．５ｍｍに揃える。そして、基板２４上に波長選択膜２６をスパッタリングや蒸着などにより形成する。最後に、図４（Ｆ）に示すように、たとえば、幅ａが６ｍｍ、奥行ｂが５ｍｍになるように切断して、図４（Ｇ）のミラー２０を形成する。
【００４５】
なお、基板２４に樹脂シートを用いたが、反射膜３０上に樹脂をスピンコートして基板２４を形成してもよい。
【００４６】
図５に示すこの発明の他の実施例である光ピックアップ１０は光源として、２つの半導体レーザ５４、１４および１つのホログラムユニット５６を備える。
【００４７】
１つの半導体レーザ５４は、たとえば波長λ３：４０５ｎｍのＨＤ  ＤＶＤ（Ｈｉｇｈ  Ｄｅｆｉｎｉｔｉｏｎ  ＤＶＤ）用レーザ光５８を光軸に合わせて出射する。レーザ光５８は光軸に沿って３つのハーフミラ６０、６２、６４を透過して、コリメータレンズ３４により平行光にされて、光軸に対して４５度に傾けて配置したミラー２０の波長選択膜２６で反射される。このミラー２０は図１の実施例で用いたミラー２０とほぼ同じであるが、ミラー２０の最表面に形成した波長選択膜２６は波長λ２のレーザ光４４を透過し、波長λ１およびλ３のレーザ光３２、５８を反射する膜である。そして、反射されたレーザ光５８は対物レンズ３６により、光ディスク３８（ＨＤ  ＤＶＤ）の信号記録面６６、すなわち、ＤＶＤと同じく、光ディスク３８の光入射面３８ａから深さｔ１：０．６ｍｍの位置に集光する。
【００４８】
光ディスク３８によって反射されたレーザ光５８は、再び対物レンズ３６を透過し、ミラー２０の波長選択膜２６で反射されて、コリメータレンズ３４を通過してから、ハーフミラ６４で反射されて、光検出器６８で検出される。
【００４９】
もう１つの半導体レーザ１４は光軸に対して垂直な方向から、たとえば、ＤＶＤ用で波長λ１：６５５ｎｍのレーザ光３２を射出する。レーザ光３２はハーフミラ６０により９０度に反射されて、波長λ３のレーザ光５８と同様に光軸に沿う。そして、２つのハーフミラ６２、６４を透過し、コリメータレンズ３４により平行光にされてから、ミラー２０の最表面の波長選択膜２６で反射されて、対物レンズ３６により光ディスク３８（ＤＶＤ）の信号記録面４０に集光する。
【００５０】
光ディスク３８によって反射されたレーザ光３２は、波長λ３のレーザ光５８と同様に再び対物レンズ３６を透過し、ミラー２０の波長選択膜２６で反射されて、コリメータレンズ３４を透過した後、ハーフミラ６４で反射されて、波長λ３のレーザ光５８と同じ光検出器６８で検出される。
【００５１】
また、ホログラムユニット５６は半導体レーザおよび受光素子などを実装した受発光素子であり、たとえば、ＣＤ用で波長λ２：７８５ｎｍのレーザ光４４を光軸に対して垂直な方向から出射する。このレーザ光４４はハーフミラ６２により反射して光軸に一致してから、ハーフミラ６４およびコリメータレンズ３４を透過する。そして、ミラー２０の波長選択膜２６および基板２４を透過して、曲面形状の反射膜３０で発散して反射する。反射されたレーザ光４４は対物レンズ３６により光ディスク３８（ＣＤ）の信号記録面４６に集光する。
【００５２】
光ディスク３８によって反射されたレーザ光４４は対物レンズ３６を透過し、ミラー２０の波長選択膜２６および基板２４を透過して反射膜３０で反射する。それから、コリメータレンズ３４およびハーフミラ６４を透過し、ハーフミラ６２で反射されて、再びホログラムユニット５６に戻って、ホログラムユニット５６の受光素子で検出される。
【００５３】
このように、波長λ２のレーザ光４４はミラー２０の基板２４を透過するが、基板２４の厚みは非常に薄いため、対物レンズ３６により集光されたレーザ光４４の非点収差を低く抑えることができる。また、基板２４を透過することによるレーザ光４４の強度低下も抑えることができる。
【００５４】
また、波長λ１のレーザ光３２をハーフミラ６０で反射させて、コリメータレンズ３４の前で光軸に合わせることにより、対物レンズ３６により光ディスク３８上に集光されたレーザ光３２のコマ収差を抑えることができる。
【００５５】
なお、波長λ２のレーザ光４４の光軸ずれはハーフミラ６２の角度などにより補正することができるため、実施例１のようにミラー２０の基板２４の厚みで光軸ずれの補正をする必要がない。このため、ミラー２０の基板２４の厚みを数３の設計に合わせなくてもよい。
【００５６】
また、２つの半導体レーザ５４、１４および１つのホログラムユニット５６を用いたが、装置の要求に合わせて適宜必要な光源を用いればよい。
【００５７】
図６に示すこの発明の他の実施例である光ピックアップ１０は図１に示す光ピックアップ１０とほぼ同じであるが、一体型レーザ光源７０の光源およびミラー７２の反射層の数が異なる。
【００５８】
一体型レーザ光源７０は複数、この実施例では３つの半導体レーザ５４、１４、１６を含み、これらの半導体レーザ５４、１４、１６は、たとえばＨＤ  ＤＶＤ用、ＤＶＤ用およびＣＤ用であり、波長λ３：４０５ｎｍ、波長λ１：６５５ｎｍ、および波長λ２：７８５ｎｍのレーザ光５８、３２、４４をそれぞれ出射する。そして、図６の上から下に向かってＨＤ  ＤＶＤ用半導体レーザ５４、ＤＶＤ用半導体レーザ１４およびＣＤ用半導体レーザ１６の順番に所定間隔で並んで配置し、ＨＤ  ＤＶＤ用半導体レーザ５４とＤＶＤ用半導体レーザ１４との間隔はｅ２であり、ＤＶＤ用半導体レーザ１４とＣＤ用半導体レーザ１６との間隔はｅ１である。
【００５９】
また、図７に示すミラー７２は基体２２、反射膜３０および２層の反射層２８、７４を備え、ミラー２０に対して反射層７４が多い。ミラー７２の基体２２の表面は曲面形状であり、その曲面形状の表面上に波長λ２のレーザ光４４を反射する反射膜３０を形成する。反射膜３０の上に透明な第１基板２４を載せ、その上に波長λ２のレーザ光４４を透過し、波長λ１のレーザ光３２を反射する第１波長選択膜２６を形成する。さらに、その上に第２基板７６を載せて、その表面に第２波長選択膜７８を形成する。第２基板７６は第１基板２４と同様の透明な樹脂シートであり、第２基板７６の厚みｄ２は光軸に合わせたＨＤ  ＤＶＤ用の半導体レーザ５４からの光源間隔ｅ２および屈折率ｎの第２基板７６への入射角θにより数４を用いて求められる値である。第２波長選択膜７８は第１波長選択膜２６と同様に誘電体多層膜であり、波長λ１およびλ２のレーザ光３２、４４を透過し、波長λ３のレーザ光５８を反射する。
【００６０】
【数４】
2006024276.tif 000005
【００６１】
なお、この数４は数３と同じ数式であるが、光源間隔および基板の厚みが異なるため、第１基板２４に対する数３では添え字「１」を付し、第２基板７６に対する数４では添え字「２」を付すことによって区別した。これに対して、数１および数２では添え字を削除してこれらを包括するように表現している。
【００６２】
これ以外の部分に関しては図１実施例の示すミラー２０および光ピックアップ１０と同様であるため、説明は省略する。
【００６３】
図６に示すように、波長λ３のレーザ光５８は光軸に合うように、一体型レーザ光源７０のＨＤ  ＤＶＤ用半導体レーザ５４から射出され、ハーフミラ８０を透過し、光軸に対して４５度に傾いて配置されたミラー７２の最表面の第２波長選択膜７８で反射する。反射したレーザ光５８は光軸を通り、コリメータレンズ３４により平行光にされてから、対物レンズ３６によって光ディスク３８（ＨＤ  ＤＶＤ）の信号記録面６６、すなわち、ＤＶＤと同様に、光ディスク３８の光入射面３８ａから深さｔ１：０．６ｍｍの位置に集光する。
【００６４】
光ディスク３８によって反射されたレーザ光５８は、再び対物レンズ３６およびコリメータレンズ３４を透過後、ミラー７２の第２波長選択膜７８で反射される。反射されたレーザ光５８はハーフミラ８０で反射されて、ＨＤ  ＤＶＤ用の光検出器８２で検出される。
【００６５】
ＨＤ  ＤＶＤ用の半導体レーザ５４を光軸に合わせると、ＤＶＤ用半導体レーザ１４から射出される波長λ１のレーザ光３２は光軸に対して光源間隔ｅ２だけずれる。このため、レーザ光３２はミラー７２の第２波長選択膜７８および第２基板７６を透過し第１波長選択膜２６で反射して、第２基板７６を透過することにより、レーザ光３２の光軸からのずれを補正する。反射されたレーザ光３２は光軸を通り、コリメータレンズ３４および対物レンズ３６を透過して、光ディスク３８（ＤＶＤ）の信号記録面４０に照射される。
【００６６】
光ディスク３８によって反射されたレーザ光３２は、同一の経路を反対方向に進み、最後にハーフミラ８０で反射されて、ＤＶＤ用の光検出器４２に入射する。
【００６７】
ＣＤ用半導体レーザ１６から射出される波長λ２のレーザ光４４も、波長λ１のレーザ光３２と同様に、光軸に対して光源間隔（ｅ１＋ｅ２）だけずれてミラー７２に入射する。そして、レーザ光４４はミラー７２の第２波長選択膜７８、第２基板７６、第１波長選択膜２６および第１基板２４を透過し反射膜３０で反射して、これらを透過する際にレーザ光４４の光軸からのずれを補正される。反射されたレーザ光４４は光軸を通り、コリメータレンズ３４および対物レンズ３６を透過して、光ディスク３８（ＣＤ）の信号記録面４６に照射される。
【００６８】
光ディスク３８によって反射されたレーザ光４４は、同一の経路を反対方向に進み、最後にハーフミラ８０で反射されて、ＣＤ用の光検出器４８に入射する。
【００６９】
このように、波長λ１および波長λ２のレーザは光軸に対して光源間隔ｅ１およびｅ２だけずれているが、コリメータレンズ３４を透過する前に、数３および数４により設計されたミラー７２の第１および第２基板２４、７６を透過して、レーザ光４４の光軸ずれおよび角度ずれを補正されてから対物レンズ３６により集光されるため、信号記録面４０、４６に集光するレーザ光３２、４４のコマ収差を抑制することができる。
【００７０】
また、数３により設計された第１および第２基板２４、７６の厚みは非常に薄いため、波長λ１および波長λ２のレーザ光３２、４４は第１および第２基板２４、７６を透過しても、これらのレーザ光３２、４４の非点収差を低く抑え、かつレーザ光強度の低下も小さくすることができる。
【００７１】
なお、青色レーザ光５８をブルーレイディスク（商品名）など他の光ディスクに用いることもできる。
【００７２】
このミラー７２の製造工程では、まず図８（Ａ）に示す基体２２となる樹脂の板５０を用意して、この１枚の板５０に、図８（Ｂ）に示すように、間隔を隔てて複数、この実施例では４箇所に、曲面形状表面２２ａを加熱成型により形成して、これらの間を後述する第１基板２４の貼り合わせ基準面５０ａとする。次いで、図８（Ｃ）に示すように、板５０の加熱成型した面にスパッタリングや蒸着などにより反射膜３０を形成する。その反射膜３０を形成した上から図８（Ｄ）に示すように、接着剤５２を塗布し、その上から図８（Ｅ）の一定の厚みを有する透明樹脂製シートの第１基板２４を貼り合わせ基準面５０ａに沿わせて貼り合わせる。そして、図８（Ｆ）に示すように、第１基板２４上に第１波長選択膜２６をスパッタリングなどにより形成して、さらにその上から図８（Ｇ）に示す接着剤５２を塗布して、第２基板７６の透明樹脂製シートを貼り合わせ、その表面に第２波長選択膜７８を形成する。最後に、図８（Ｈ）に示すように切断して、図８（Ｉ）に示す、たとえば、幅ａが６ｍｍ、奥行ｂが５ｍｍのミラー７２を形成する。
【００７３】
図９に示すこの発明の他の実施例である光ピックアップ１０は図６の光ピックアップ１０とほぼ同等であるが、光源が異なる。図９の光ピックアップ１０は２つの光源５４、１４を有する一体型レーザ光源８４および１つのホログラムユニット５６を備える。
【００７４】
一体型レーザ光源８４の一方はＨＤ  ＤＶＤ用半導体レーザ５４であり、他方はＤＶＤ用半導体レーザ１４であり、これらは図６の光ピックアップ１０と同様であるため、説明は省略する。また、ホログラムユニット５６は図５の光ピックアップ１０と同様であるため、説明は省略する。
【００７５】
図１０に示すこの発明の他の実施例である光ピックアップ１０は、図６の光ピックアップ１０とほぼ同様であるが、ミラーおよび検出器が異なる。
【００７６】
一体型レーザ光源７０から射出された波長λ３、波長λ１および波長λ２のレーザ光５８、３２、４４は第１ミラー７２の第２波長選択膜７８、第１波長選択膜２６および反射膜３０によりそれぞれ反射されて、光軸に一致してから、ハーフミラ８０を透過する。そして、波長λ３および波長λ１のレーザ光５８、３２は第２ミラー２０の最表面の第１波長選択膜２６で反射して、コリメータレンズ３４および対物レンズ３６を透過して、光ディスク３８の光入射面３８ａから深さｔ１：０．６ｍｍの位置にある信号記録面６６、４０に集光する。一方、波長λ２のレーザ光４４は第２ミラー２０の第１基板２４を透過し、曲面形状の反射膜３０で所望の発散角度に変わり、コリメータレンズ３４および対物レンズ３６を透過して、光ディスク３８の光入射面３８ａから深さｔ２：１．２ｍｍの位置にある信号記録面４６に集光する。
【００７７】
これらの光ディスク３８で反射されたレーザ光５８、３２、４４は、対物レンズ３６およびコリメータレンズ３４を透過して、ミラーの第１波長選択膜２６または反射膜３０で反射された後、ハーフミラ８０で反射されて、検出器８６に検出される。
【００７８】
このように、ハーフミラ８０やコリメータレンズ３４などの光学素子を通過する前に、第１ミラー７２で３つのレーザ光５８、３２、４４を光軸のずれを補正することにより、３つのレーザ光５８、３２、４４はほぼ同じ経路を通るため、１つの検出器８６でこれらのレーザ光５８、３２、４４を検出することができ、光ピックアップ１０の部品点数を少なくすることができる。
【００７９】
さらに、上で挙げた角度や寸法の具体的数値はいずれも単なる一例であり、必要に応じて適宜変更可能である。
【図面の簡単な説明】
【００８０】
【図１】この発明の一実施例の光ピックアップを示す図解図である。
【図２】図１実施例の光ピックアップに用いられるミラーを示す断面図である。
【図３】図１実施例の光ピックアップのミラーおよび光源を示す断面図である。
【図４】図２のミラーの製造方法を示す斜視図である。
【図５】この発明の別の実施例の光ピックアップを示す図解図である。
【図６】この発明のさらに別の実施例の光ピックアップを示す図解図である。
【図７】図６実施例の光ピックアップに用いられるミラーを示す断面図である。
【図８】図７のミラーの製造方法を示す斜視図である。
【図９】この発明のさらに別の実施例の光ピックアップを示す図解図である。
【図１０】この発明のさらに別の実施例の光ピックアップを示す図解図である。
【符号の説明】
【００８１】
１０…ミラー
１２、７０、８４…一体型レーザ光源
２０、７２…ミラー
２２…基体
２４…基板
２６…波長選択膜
２８、７４…反射層
３０…反射膜
３４…コリメータレンズ
３６…対物レンズ
７６…第２基板
７８…第２波長選択膜
【図１】
2006024276.tif 000007
【図２】
2006024276.tif 000008
【図３】
2006024276.tif 000009
【図４】
2006024276.tif 000010
【図５】
2006024276.tif 000011
【図６】
2006024276.tif 000012
【図７】
2006024276.tif 000013
【図８】
2006024276.tif 000014
【図９】
2006024276.tif 000015
【図１０】
2006024276.tif 000016